(57)【要約】【課題】製造コストを下げると共に、材料の浪費を避けることができる箱網の提供。【解決手段】底面部（３３）と、該底面部の周縁全体から延伸して延伸先端側に開口している周面部（３４）とを有する箱網であって、複数の網ユニット（３１）から無端配列になるものであり、該複数の網ユニットは、同等のサイズで、いずれも、平面に広げられると方形になるものであって、無端配列における配列方向と直交している両側辺で隣接の２の網ユニットの相当の部分と連接していて、合わせて周面部になっている第１の部分（３１１）と、第１の部分における両側辺と隣接している一辺である底辺（３１１１）全体から延伸している上、無端配列において、その延伸方向の両側縁で隣接の２の網ユニットの相当の部分と連接していて、合わせて底面部になっている第２の部分（３１２）と、を備えていることを特徴とする箱網を提供する。【選択図】図３
2011125336.tif 000002
【特許請求の範囲】
【請求項１】
底面部と、該底面部の周縁全体から延伸して延伸先端側に開口している周面部とを有する箱網であって、
複数の網ユニットから無端配列になるものであり、
該複数の網ユニットは、同等のサイズで、いずれも、
平面に広げられると方形になるものであって、前記無端配列における配列方向と直交している両側辺で隣接の２の網ユニットの相当の部分と連接していて、合わせて前記周面部になっている第１の部分と、
前記第１の部分における前記両側辺と隣接している一辺である底辺全体から延伸しており、かつ、前記無端配列において、その延伸方向の両側縁で隣接の２の網ユニットの相当の部分と連接していて、合わせて前記底面部になっている第２の部分と、を備えている、
ことを特徴とする箱網。
【請求項２】
前記周面部は、その開口が上にあり、且つ略円形に保持されて懸架されると略円筒形になることができるように構成されており、
前記第２の部分は、平面に広げられると、前記第１の部分の前記一辺を底辺とし、且つ、その高さが前記周面部が保持されてなる略円筒形の半径より長い二等辺三角形になるものであり、
また、前記底面部は、前記各網ユニットにおける第２の部分により、前記周面部が懸架されて前記略円筒形に保持されている状態において、懸架されて倒置型の略円錐面形になることができるように構成されている、
ことを特徴とする請求項１に記載の箱網。
【請求項３】
前記周面部は、前記開口が上にあり、且つ略円形に保持されて懸架されると略円筒形になることができるように構成されており、
前記第２の部分は、平面に広げられると、該第２の部分が属する網ユニットにおける第１の部分の該第２の部分に臨んでいる辺をその直角を挟む二辺における一つの辺とし、且つ、その斜辺が前記周面部が保持されてなる略円筒形の半径より長い直角三角形になるものであり、
また、前記底面部は、その各第２の部分の前記直角三角形の直角を挟む二辺における他の一つの辺が、該第２の部分に隣り合っている他の網ユニットにおける第２の部分の斜辺と連結しており、かつ、前記周面部が懸架されて前記略円筒形に保持されている状態において、懸架されて倒置型略円錐台面形になることができるように構成されている、
ことを特徴とする請求項１に記載の箱網。
【請求項４】
４つの網ユニットから連続的になっているものであり、また、
前記周面部は、前記４つの網ユニットにおける４つの前記第１の部分からなっており、且つ、それぞれの前記第２の部分から離れた端縁がそれぞれ方形の一辺となるように保持されて懸架されると方筒形になることができるように構成されており、
前記第２の部分は、平面に広げられると、該第２の部分が属する網ユニットにおける第１の部分の該第２の部分に臨んでいる辺をその上底とし、且つ、その上底と下底とを結ぶ２つの斜辺の長さが同等である逆台形になるものであり、
また、前記底面部は、その各第２の部分の各斜辺がそれぞれ該第２の部分と隣り合っている他の網ユニットにおける第２の部分の対応斜辺と連結している上、前記周面部が懸架されて前記方筒形に保持されている状態において、懸架されて倒置型の四角錐台面形になることができるように構成されている、
ことを特徴とする請求項１に記載の箱網。
【請求項５】
前記４つの網ユニットは、平面に広げられると方形になる一枚の網材から同等のサイズに区切られたものであり、
前記各網ユニットは、いずれも、前記網材において前記第１の部分と前記第２の部分とを有している上、前記網材には、更に、前記各第２の部分の左右両斜辺からそれぞれ延伸しており、かつ、隣り合っている他の網ユニットの同等部分と連接している直角三角形の余り部分があって、前記網材が方形に広げられると前記各網ユニットも前記第２の部分から延伸している直角三角形の余り部分と合わせて方形になることができるようになっており、
また、各網ユニットにおける余り部分は、隣り合っている他の網ユニットの同等の部分とは、互いに重なるように折畳まれている、
ことを特徴とする請求項４に記載の箱網。
【発明の詳細な説明】
【技術分野】
【０００１】
本発明は漁業や養殖業に使用される網に関し、特に、所定空間を囲む略皿状に作成される箱網に関する。
【背景技術】
【０００２】
図１は、特許文献１により開示されている箱網の斜視図である。図示のように、該箱網１は５枚の網ユニット１１を有し、海中や養殖池の中に懸架されている状態で収容空間１２を囲むことができる略皿状になる他、上端縁に複数のボール状浮力ユニット２が取り付けられている。
【０００３】
このような標準的な構成を有する箱網１はサイズが大きく、５枚の網ユニット１１も全て広い面積を有するため、この５枚の網ユニット１１を組み合わせるのにコストがかかる。また、各網ユニット１１のサイズか確実に対応しないと組み立てた箱網１の形状が歪むことになる。
【０００４】
また、このような方形箱状の他、図２に示されているように、海中や養殖池の中に懸架されている状態で略円形底面部１４と円柱面状の周面部１３とを備える箱網もある。このような箱網は、平面に広げられると略円形になる底面部１４を作製するのに、まずは方形の網材から略円形に切り取るので、網材の浪費が激しい。
【先行技術文献】
【特許文献】
【０００５】
【特許文献１】台湾実用新案第Ｍ２５２２６７号明細書
【発明の概要】
【発明が解決しようとする課題】
【０００６】
上記問題点に鑑みて、本発明は製造コストを下げると共に、材料の浪費を避けることができる箱網の提供を目的とする。
【課題を解決するための手段】
【０００７】
上記目的を達成すべく、本発明は底面部と、該底面部の周縁全体から延伸して延伸先端側に開口している周面部とを有する箱網であって、複数の網ユニットから無端配列になるものであり、該複数の網ユニットは、同等のサイズで、いずれも、平面に広げられると方形になるものであって、前記無端配列における配列方向と直交している両側辺で隣接の２の網ユニットの相当の部分と連接していて合わせて前記周面部になっている第１の部分と、前記第１の部分における前記両側辺と隣接している一辺である底辺全体から延伸している上、前記無端配列において、その延伸方向の両側縁で隣接の２の網ユニットの相当の部分と連接していて、合わせて前記底面部になっている第２の部分と、を備えていることを特徴とする箱網を提供する。
【０００８】
上記箱網において、前記周面部は、その開口が上にあり、且つ略円形に保持されて懸架されると略円筒形になることができるように構成されており、前記第２の部分は、平面に広げられると、前記第１の部分の前記一辺を底辺とし、且つ、その高さが前記周面部が保持されてなる略円筒形の半径より長い二等辺三角形になるものであり、また、前記底面部は、前記各網ユニットにおける第２の部分により、前記周面部が懸架されて前記略円筒形に保持されている状態において、懸架されて倒置型の略円錐面形になるように構成されることができる。
【０００９】
上記箱網において、前記周面部は、前記開口が上にあり、且つ略円形に保持されて懸架されると略円筒形になることができるように構成されており、前記第２の部分は、平面に広げられると、該第２の部分が属する網ユニットにおける第１の部分の該第２の部分に臨んでいる辺をその直角を挟む二辺における一つの辺とし、且つ、その斜辺が前記周面部が保持されてなる略円筒形の半径より長い直角三角形になるものであり、また、前記底面部は、その各第２の部分の前記直角三角形の直角を挟む二辺における他の一つの辺が、該第２の部分に隣り合っている他の網ユニットにおける第２の部分の斜辺と連結している上、前記周面部が懸架されて前記略円筒形に保持されている状態において、懸架されて倒置型略円錐台面形になることができるように構成されることができる。
【００１０】
上記箱網において、４つの網ユニットから連続的になっているものであり、また、前記周面部は、前記４つの網ユニットにおける４つの前記第１の部分からなっており、且つ、それぞれの前記第２の部分から離れた端縁がそれぞれ方形の一辺となるように保持されて懸架されると方筒形になることができるように構成されており、前記第２の部分は、平面に広げられると、該第２の部分が属する網ユニットにおける第１の部分の該第２の部分に臨んでいる辺をその上底とし、且つ、その上底と下底とを結ぶ２つの斜辺の長さが同等である逆台形になるものであり、また、前記底面部は、その各第２の部分の各斜辺がそれぞれ該第２の部分と隣り合っている他の網ユニットにおける第２の部分の対応斜辺と連結している上、前記周面部が懸架されて前記方筒形に保持されている状態において、懸架されて倒置型の四角錐台面形になるように構成されることができる。
【００１１】
前記４つの網ユニットは、平面に広げられると方形になる一枚の網材から同等のサイズに区切られたものであり、前記各網ユニットは、いずれも、前記網材において前記第１の部分と前記第２の部分とを有している上、前記網材には、更に、前記各第２の部分の左右両斜辺からそれぞれ延伸している上、隣り合っている他の網ユニットの同等部分と連接している直角三角形の余り部分があって、前記網材が方形に広げられると前記各網ユニットも前記第２の部分から延伸している直角三角形の余り部分と合わせて方形になることができるようになっており、また、各網ユニットにおける余り部分は、隣り合っている他の網ユニットの同等の部分とは、互いに重なるように折畳まれていることが好ましい。
【発明の効果】
【００１２】
上記構成により、本発明はサイズが大きい１枚の方形網材から箱網の大部分を作成することができるので、製造コストを下げると共に、材料の浪費を避けることができる。
【図面の簡単な説明】
【００１３】
【図１】従来の箱網の第１の構成例の斜視図である。
【図２】従来の箱網の第２の構成例の斜視図である。
【図３】本発明の第１の実施形態の箱網が懸架されている状態の斜視図である。
【図４】図３に示されている第１の実施形態の底面部の平面図である。
【図５】本発明の第２の実施形態の箱網が懸架されている状態の斜視図である。
【図６】図５に示されている第２の実施形態の底面部の平面図である。
【図７】前記第２の実施形態における各網ユニットの構成が示されている平面図である。
【図８】前記第２の実施形態における各網ユニットの作成方法が示されている説明図である。
【図９】本発明の第３の実施形態における各網ユニットの構成が示されてい３る平面図である。
【図１０】前記第３の実施形態の箱網が懸架されている状態の斜視図である。
【発明を実施するための形態】
【００１４】
以下、前掲図面を参照しながら、本発明の各好ましい実施形態について説明する。
図３、図４では第１の実施形態が示されており、図示のように、本発明の第１の実施形態は、底面部３３と、該底面部３３の周縁全体から延伸して延伸先端側に開口している周面部３４とを有してなるものである。
【００１５】
この箱網は、複数の網ユニット３１から無端配列するように作成されたもので、該複数の網ユニット３１は同等のサイズで、いずれも、第１の部分３１１と第２の部分３１２とを有している。
【００１６】
第１の部分３１１は、平面に広げられると方形になるものであり、前記無端配列における配列方向と直交している両側辺で隣接の２の網ユニット３１の相当の部分と連接していて、合わせて前記周面部になっている。
【００１７】
第２の部分３１２は、第１の部分３１１における前記両側辺と隣接している一辺である底辺３１１１全体から延伸していると共に、前記無端配列にいて、その延伸方向の両側縁で隣接の２の網ユニット３１の相当の部分と連接していて、合わせて前記底面部になっている。
【００１８】
本発明における網ユニット３１は、個々に作成する必要が全く無く、一枚の大きいサイズを有する網材から各網ユニットに区切って適切な形状に形成すればよく、多数の網ユニットを結びつけるコストを軽減させることができると共に、材料の浪費を避けることもできる。
【００１９】
以上は本発明の箱網の各実施形態の共通構成であるが、この第１の実施形態において、各網ユニット３１がそれぞれ有する第２の部分３１２は、平面に広げられると全て同じ形状と面積を有する二等辺三角形であると共に、それらが有している同じ長さの辺で互いに連結されている。
【００２０】
この構成により、本発明の箱網の第１の実施形態における周面部３４は、図示のように、その開口が上にあって、且つ略円形に保持されて懸架されると略円筒形になる。また、周面部３４が懸架されて前記略円筒形に保持されている状態においては、底面部３３は懸架されて倒置型の略円錐面形になる。
【００２１】
ちなみに、懸架される底面部３３を倒置型の略円錐面形にするため、各第２の部分３１２の形状である二等辺三角形の高さを略円筒形に懸架される周面部３４の略円筒形の半径より長く形成する必要がある。
【００２２】
また、この実施形態では、図示のように、各網ユニット３１における前記底辺３１１１の両端に箱網を懸架して展開するためのフック３２が取り付けられている。
【００２３】
図５〜図８では第２の実施形態が示されており、図示のように、本発明の第２の実施形態は第１の実施形態と類似する構成を有しているが、各網ユニット３１における第２の部分３１２は、平面に広げられると二等辺三角形ではなく、底辺３１１１をその直角を挟む二辺における一つの辺とする直角三角形である。
【００２４】
図６、図７に示されているように、第２の実施形態において、底面部３３は、底辺３１１１と直交する隣辺３１２１を隣り合っている他の網ユニット３１における第２の部分の斜辺３１２２と連結することにより作られ、斜辺３１２２の隣辺３１２１より長い部分で、底面部３３の中心に孔３５を画成している。
【００２５】
この第２の実施形態は、周面部３４が懸架されて略円筒形に保持されている状態において、底面部３３は懸架されて倒置型略円錐台面形になり、先端に孔３５が開いている。
【００２６】
この孔３５を介して、例えば養殖業では死んだ魚を箱網外に排出することができ、孔３５を必要としない場合は、例えば図５に示されているように閉じ網３６で封止することができる。閉じ網３６は材料を円形に切り取って作成するが、サイズが箱網全体と較べて極めて小さいので、使用する材料量が最小限に留まり、浪費にならない。
【００２７】
ちなみに、第１の実施形態と同じく、懸架される底面部３３を倒置型の略円錐面形にするため、各第２の部分３１２の形状である直角三角形の斜辺３１２２を略円筒形に懸架される周面部３４の略円筒形の半径より長く形成する必要がある。
【００２８】
この第２の実施形態の利点は図８に示されているように、平面に広げられると直角三角形になっている第２の部分３１２は、方形の網材から斜めに切り分ければ作成することができるので、一枚の大きい網材から２つの網材になるように整斉にジグザグに切り分ければ、この２つの網材からそれぞれ、１つの本発明の第２の実施形態の箱網を作成することができる。
【００２９】
続いて、図９、図１０を用いて本発明の第３の実施形態について説明する。図示されているように、本発明の第３の実施形態は第1、第２の実施形態と類似する構成を有しているが、この実施形態は４つの網ユニット３１により方形箱状に形成されるものである。
【００３０】
この４つの網ユニット３１は、平面に広げられると方形になる一枚の網材３０に連続して並び、且つ同等のサイズに区切られたものである。
【００３１】
周面部３４は、４つの網ユニット３１における４つの第１の部分３１１からなり、且つ、それぞれの第２の部分３１２から離れた端縁（図中の上端縁）がそれぞれ方形の一辺となるように保持されて懸架されると方筒形になることができるように構成されている。
【００３２】
第２の部分３１２は、平面に広げられるとそれが属する網ユニットにおける第１の部分３１１の該第２の部分３１２に臨んでいる辺をその上底３１２３とし、且つ、その上底３１２３と下底３１２４とを結ぶ２つの斜辺３１２５の長さが同等である逆台形になるものである。
【００３３】
底面部３３は、各第２の部分３１２の各斜辺３１２５がそれぞれ該第２の部分３１２と隣り合っている他の網ユニット３１における第２の部分３１２の対応斜辺３１２５と連結していて先端に孔３５を画成している上、周面部３４が懸架されて前記方筒形に保持されている状態において、懸架されて前記孔３５で下へ開口する倒置型の四角錐台形になるように構成されている。
【００３４】
また、図９に示されているように、各網ユニット３１は、いずれも、前記網材３０において、平面に広げられると方形になる第１の部分３１１と平面に広げられると逆台形になる第２の部分３１２とを有している上、前記網材３０には、更に、各第２の部分３１２の左右両斜辺３１２５からそれぞれ延伸している直角三角形の余り部分３１３があって、前記網材３０が平面に広げられると前記各網ユニット３１もそれから延伸している直角三角形の余り部分３１３と合わせて方形になることができるようになっている。
【００３５】
従って、本発明の第３の実施形態は、平面に広げられると方形になる一枚の網材３０から作成することができ、各網ユニット３１における各第２の部分を結びつけて懸架されると倒置型の四角錐台面形になる底面部３３を有するように作成すると、図１０に示されているように、各網ユニット３１に余り部分３１３ができ、該余り部分３１３は、隣り合っている他の網ユニット３１の同等の部分と連接しているので、それと互いに重なるように箱網外に折畳まれる。
【００３６】
この第３の実施形態の利点は、平面に広げられると方形になる一枚の網材３０から作成することによって、網材３０から不要な部分を切り取って廃棄することなく作成できる上、区切られた４つの網ユニット３１がそれぞれ有する第２の部分３１２の各斜辺３１２５を縫い付けるだけで作成することができ、製造コストを軽減することもできる。
【産業上の利用可能性】
【００３７】
上記構成により、本発明はサイズが大きい１枚の方形網材から箱網の大部分を作成することができるので、製造コストを下げると共に、材料の浪費を避けることができる。
【符号の説明】
【００３８】
３０    網材
３１    網ユニット
３１１    第１の部分
３１１１    底辺
３１２    第２の部分
３１２１    隣辺
３１２２    斜辺
３１２３    上底
３１２４    下底
３１２５    斜辺
３１３    余り部分
３２    フック
３３    底面部
３４    周面部
３５    孔
３６    閉じ網
【図１】
2011125336.tif 000003
【図２】
2011125336.tif 000004
【図３】
2011125336.tif 000005
【図４】
2011125336.tif 000006
【図５】
2011125336.tif 000007
【図６】
2011125336.tif 000008
【図７】
2011125336.tif 000009
【図８】
2011125336.tif 000010
【図９】
2011125336.tif 000011
【図１０】
2011125336.tif 000012